(57)【要約】【課題】  被処理水の流量調整を行う構成を有する排水処理装置の合理的な構築技術を提供する。【解決手段】  計量調整装置２００が装着された排水処理装置において、計量調整装置２００において被処理水が移流する経路に、越流によって被処理水の移流を可能とする越流堰２１２と、この越流堰２１２の直後において潜流によって被処理水の移流を可能とする潜流開口２１４ａを有する潜り堰２１４と、越流堰２１２よりも上流において当該越流堰２１２側へと流れる被処理水の一部が分岐して移流可能な溢れ縁２０５ａを設けるとともに、越流堰２１２と潜り堰２１４との間隔が潜流開口２１４ａの開口高さを超えないように構成する。【選択図】      図３
2005125267.tif 000002
【特許請求の範囲】
【請求項１】
被処理水の処理経路に、流入部を通じて流入した被処理水の一部を分岐させることによって流量調整したのち、流量調整がなされた被処理水を流出部を通じて流出させる構成の流量調整手段が装着された排水処理装置であって、
前記流量調整手段において被処理水が移流する経路には、越流によって被処理水の移流を可能とする第１壁部と、前記第１壁部の直後において潜流によって被処理水の移流を可能とする潜流開口を有する第２壁部と、前記第１壁部よりも上流において当該第１壁部側へと流れる被処理水の一部が分岐して移流可能な分岐部とが設けられており、
前記第１壁部と前記第２壁部との間隔が前記潜流開口の開口高さを超えないように構成されていることを特徴とする排水処理装置。
【請求項２】
請求項１に記載の排水処理装置であって、
前記流量調整手段は、前記第１壁部と前記第２壁部との間の流路断面積が前記第２壁部の潜流開口の開口面積を超えないように構成されていることを特徴とする排水処理装置。
【請求項３】
請求項１または２に記載の排水処理装置であって、
前記流量調整手段は、前記第１壁部および分岐部を前記流入部の近傍に配置した構成であることを特徴とする排水処理装置。
【請求項４】
請求項１〜３のいずれかに記載の排水処理装置であって、
前記流量調整手段は、前記第２壁部の下流において流れる被処理水の一部が分岐して移流可能な第２の分岐部を備えた構成であることを特徴とする排水処理装置。
【発明の詳細な説明】
【技術分野】
【０００１】
本発明は、被処理水の処理を行う排水処理装置に係り、詳しくは被処理水の流量調整を行う構成を有する排水処理装置の構築技術に関するものである。
【背景技術】
【０００２】
従来、一般家庭等から排出される生活排水や、産業廃水等の処理を行う排水処理装置につき、被処理水の処理経路に流量調整を行う計量調整装置が装着された構成のものが知られている（例えば、特許文献１参照。）。
特許文献１に開示の計量調整装置は、上流側の処理槽から受け入れた被処理水の一部をオーバーフローにより分岐させることによって被処理水の流量を調整したのち、流量調整がなされた被処理水を下流側の処理槽へと流出させるように構成されている。
ところで、被処理水の処理を行う排水処理装置につき上記のように被処理水の流量調整を行う計量調整装置においては、被処理水の流量調整を円滑に行う構成に関し一層の合理化を図る要請がある。
【特許文献１】実開平５−２２０９６号公報
【発明の開示】
【発明が解決しようとする課題】
【０００３】
本発明は、かかる点に鑑みてなされたものであり、被処理水の流量調整を行う構成を有する排水処理装置の合理的な構築技術を提供することを課題とする。
【課題を解決するための手段】
【０００４】
前記課題を解決するために、本発明が構成される。なお、本発明は、越流によって被処理水の移流を可能とする第１壁部、この第１壁部の直後において潜流によって被処理水の移流を可能とする潜流開口を有する第２壁部、および被処理水の一部を分岐させる分岐部を好適に配置することによって、被処理水の流量調整を行う構成を有する排水処理装置を合理的に構築できるようにした技術である。
【０００５】
（本発明の第１発明）
本発明の第１発明は、請求項１に記載されたとおりの排水処理装置である。
請求項１に記載の排水処理装置は、一般家庭等から排出される排水や、産業廃水等、各種の被処理水の処理経路に流量調整手段が装着された構成を有する。典型的には、所定の処理領域（第１の処理槽）とその下流の処理領域（第２の処理槽）との間に流量調整手段が装着された構成が用いられる。被処理水は、いわゆる「エアリフトポンプ」や「水中ポンプ」と称呼されるポンプ等を介して流量調整手段の流入部へと移送される。
流量調整手段は、流入部を通じて流入した被処理水の一部を分岐させることによって流量を調整したのち、流量調整がなされた被処理水を流出部を通じて装置外へ流出させる構成を有する。すなわち、流入した被処理水の一部を分岐させることによって、流入量が変動しても流出量を一定に調整することが可能になっている。流入部および流出部は、管状部材や開口等を用いて構成することができる。
【０００６】
特に、本発明の流量調整手段は、当該流量調整手段において被処理水が移流する経路のうち流入部よりも下流に、少なくとも第１壁部、第２壁部、分岐部を備えている。
本発明の第１壁部は、越流によって被処理水の移流を可能とする構成の壁部であり、典型的には、水路を底部からせり上げその上端を越流させる構成の堰板（仕切り板）を用いて構成される。本発明の第２壁部は、潜流によって被処理水の移流を可能とする潜流開口を有する壁部であり、典型的には、堰板（仕切り板）の底部に開口を設けることによって構成される。第２壁部は第１壁部の直後に配置されており、第１壁部を越流によって移流した被処理水がそのまま潜流開口を潜って第２壁部の下流へと移流することとなる。
一方、本発明の分岐部は、第１壁部よりも上流において第１壁部側へと流れる被処理水の一部が分岐して移流可能な構成の部位である。従って、第１壁部を越流しない被処理水は分岐部を通じて当該分岐部の下流領域へと移流することとなる。典型的には、前記の第１壁部と同様に越流によって被処理水の移流を可能とする壁部を用いて分岐部を構成することができる。なお、分岐部よりも下流の構成に関しては、分岐した被処理水をそのまま流量調整手段外へ排出する構成、分岐した被処理水を一旦貯留したのちに流量調整手段外へ排出する構成、分岐した被処理水の貯留のみが可能であり貯留領域外への排出機構を有していない構成等を適宜用いることができる。
【０００７】
また、本発明では、第１壁部と第２壁部との間隔が潜流開口の開口高さを超えない構成（第１壁部と第２壁部との間隔が潜流開口よりも狭い構成）になっている。なお、第１壁部と第２壁部との配置に関しては、第１壁部と第２壁部とがほぼ平行に配置される態様や、第１壁部と第２壁部とが互いに傾斜して配置される態様等がある。第１壁部と第２壁部との間隔については、壁部の延在方向に関し第１壁部と第２壁部との距離が最も小さくなる部位における間隔を用いることができる。例えば第１壁部と第２壁部とがほぼ平行に配置される場合には、第１壁部と第２壁部との間隔は壁部の延在方向に関しほぼ一定となる。潜流開口としては、四角形、三角形、円形、楕円形等、各種の形状の開口を用いることができる。このとき潜流開口の開口高さは、第２壁部の延在方向に関する開口高さの最も高い部位の長さとして規定することができる。
【０００８】
本発明に記載の排水処理装置の上記構成によれば、第１壁部の直後に第２壁部を配置することで、第１壁部の上流側を当該第１壁部に沿って縦方向に上昇した被処理水は当該第１壁部の上端を横方向に越えて流れ、次に第１壁部と第２壁部とによって区画される領域を縦方向に下降して潜流開口へ向けて流れ、最後に当該潜流開口を潜って横方向に流れる。第１壁部および第２壁部のこのような配置によれば、被処理水の縦方向の流れと横方向の流れが交互に組み合わせられるため、被処理水の流速を抑えることができ被処理水が短絡して流れるのを防止するのに有効である。特に、第１壁部と第２壁部との間隔が潜流開口の開口高さを超えない構成とすることによって、第１壁部および第２壁部を順次移流していく被処理水のオリフィス効果（絞り効果）を高めることが可能となる。これにより、一度に大量の被処理水を分岐部を通じて分岐させ、少量の被処理水を安定的に第２壁部以降に移流させることが可能となる。そして、第２壁部以降における被処理水の移流量を抑えることで流量調整手段自体のコンパクト化を図ることができ、また被処理水の移流量を抑えることで安定した流量調整を行うことが可能となる。
【０００９】
なお、本発明では、第１壁部、第２壁部、分岐部を、流量調整手段の各部位のうち流入部よりも下流の種々の領域に配置することができる。例えば、流入部の直後のみならず、流入部から流出部までの間の領域に、第１壁部、第２壁部、分岐部を配置することが可能である。また、第１壁部、第２壁部、分岐部を組み合わせた構成は１箇所に限定されるものではなく、当該構成を必要に応じて複数箇所に設置することもできる。
【００１０】
（本発明の第２発明）
本発明の第２発明は、請求項２に記載されたとおりの排水処理装置である。
請求項２に記載の排水処理装置は、請求項１に記載の流量調整手段の構成において、更に第１壁部と第２壁部との間の流路断面積が第２壁部の潜流開口の開口面積を超えないように構成されている。すなわち、本発明では、被処理水が第１壁部を越流したのち第１壁部と第２壁部とによって区画される領域を潜流開口へと流れる過程において当該被処理水の流れを規制し、当該被処理水のオリフィス効果（絞り効果）を高めることが可能となるように、第１壁部と第２壁部との間の流路断面積と第２壁部の潜流開口の開口面積との関係を設定している。
本発明に記載の排水処理装置のこのような構成によれば、第１壁部および第２壁部を順次移流していく被処理水のオリフィス効果（絞り効果）を、被処理水が第１壁部を越流したのち潜流開口へと流れる過程においてより確実に高めることが可能となる。
そのうえ、本発明に記載の排水処理装置では、第１壁部と第２壁部との間の絞り流路の下流に、当該絞り流路の流路断面積よりも開口面積の大きい潜流開口を配置しており、絞り流路によって一旦流れが絞られた被処理水がその直後に当該絞り流路よりも流路断面積の大きい潜流開口を通過することとなるため、被処理水に対し整流作用が付与される。従って、絞り流路の下流における被処理水の流れに乱れが生じるのを抑えることが可能となり、被処理水の流量を調整し易くなるという作用効果を奏する。このような作用効果は、潜流開口の開口面積を、第１壁部と第２壁部との間の絞り流路の流路断面積よりも小さくした構成によっては得難い有利な効果である。
【００１１】
（本発明の第３発明）
本発明の第３発明は、請求項３に記載されたとおりの排水処理装置である。
請求項３に記載の排水処理装置は、請求項１または２に記載の流量調整手段の構成において、第１壁部および分岐部を流入部の近傍に配置している。なお、本明細書でいう「流入部の近傍」とは、流入口から流入した被処理水の流れの影響が及ぶ範囲の領域であり、流入部の直近の領域はもちろん、第１壁部および分岐部と流入部との間に被処理水の流れを規制する要素が介在しない場合には流入部から多少離間した領域であっても、ここでいう「流入部の近傍」に含まれるものとする。
本発明に記載の排水処理装置のこのような構成によれば、流量調整手段の最上流の部分において被処理水に対しオリフィス効果（絞り効果）を付与するとともに、被処理水の一部を分岐部を通じて分岐させることができるため、流量調整手段自体をよりコンパクトに構成することができ、またより安定した流量調整を行うことが可能となる。本発明のように流量調整手段の最上流の部分において被処理水を分岐させる構成は、とりわけ、流入部から大量の被処理水が流入するような場合において特に有効である。
なお、流入部から流入した一度に大量の被処理水を分岐部を通じてより効果的に分岐させるには、流入部の直後であって潜流開口よりも上流において被処理水にオリフィス効果（絞り効果）を付与することが可能な構成を用いるのが好ましい。本構成は、請求項２に記載のように第１壁部と第２壁部との間隔が潜流開口の開口高さを超えないように設定し、且つ第１壁部と第２壁部との間の流路断面積が第２壁部の潜流開口の開口面積を超えないように設定したうえで、第１壁部および分岐部を流入部の近傍に配置することによって実現することができる。本構成は、第２壁部の潜流開口の開口面積を第１壁部と第２壁部との間の流路断面積よりも小さく設定する場合に比して、潜流開口よりも流入部に近い第１壁部と第２壁部との間の流路において被処理水のオリフィス効果（絞り効果）を高めることができるという作用効果を奏し、流入部から流入した一度に大量の被処理水を分岐部を通じてより効果的に分岐させるのに有効である。
【００１２】
（本発明の第４発明）
本発明の第４発明は、請求項４に記載されたとおりの排水処理装置である。
請求項４に記載の排水処理装置は、請求項１〜３のいずれかに記載の流量調整手段の構成において、第２壁部の下流において流れる被処理水の一部が分岐して移流可能な第２の分岐部を備えている。この第２の分岐部は、前記の第１壁部と同様に越流によって被処理水の移流を可能とする壁部を用いて構成することができる。この第２の分岐部の設置位置は、第２壁部の直後から流出部までの間の各領域において適宜設定可能である。また、第２の分岐部は１つに限定されず、必要に応じて複数設置することができる。
本発明に記載の排水処理装置のこのような構成によれば、前記の分岐部と第２の分岐部との少なくとも２段の分岐部によって被処理水を逃がすことができるため、第１壁部の上流に設けられる分岐部のみを用いる場合に比して、きめ細かい流量調整が可能となる。
【発明の効果】
【００１３】
以上のように、本発明によれば、流量調整手段において少なくとも第１壁部と第２壁部との間隔が潜流開口の開口高さを超えないように構成することによって、流量調整手段自体のコンパクト化、および流量調整の安定化を図ることが可能となり、これにより、被処理水の流量調整を行う構成を有する排水処理装置を合理的に構築することができる。
【発明を実施するための最良の形態】
【００１４】
以下に、本発明における「排水処理装置」の一実施の形態である排水処理槽１００の構成等を図面に基づいて説明する。
【００１５】
図１には、本発明における一実施の形態の排水処理槽１００の処理フローが示されている。
図１に示すように、本実施の形態の排水処理槽１００は、処理槽本体１０１に、ばっ気型スクリーン１１０、流量調整槽１２０、計量調整装置２００、夾雑物除去槽１３０、担体流動槽１４０、担体濾過槽１５０、消毒槽１６０、放流ポンプ槽１７０、汚泥濃縮貯留槽１８０等が搭載されている。
図１に示すように、排水処理槽１００へ流入した汚水（被処理水）は、上記の構成要素によって処理され、処理後の水は放流ポンプ槽１７０の下流から排水処理槽１００外へ放流される一方、夾雑物除去槽１３０や担体濾過槽１５０の処理過程で分離・除去された汚泥は、一旦汚泥濃縮貯留槽１８０に貯留されたのちに排水処理槽１００外へ搬出される構成になっている。なお、本実施の形態では、各槽において処理される汚水（被処理排水）および当該汚水の処理過程において流れる水を「被処理水」ないし「水」と記載する。
【００１６】
ばっ気型スクリーン１１０は、所定の大きさのスクリーン目を有し、処理槽本体１０１へ流入した被処理水中に含まれる粗大な固形物や砂などを除去する機能を有する。ばっ気型スクリーン１１０を通過した水は、流量調整槽１２０へと移流する。
【００１７】
流量調整槽１２０は、被処理水を一時的に貯留するリザーバタンクとしての機能を有する槽であり、この流量調整槽１２０には、計量ポンプ１２２が設置されている。計量ポンプ１２２は、単位時間当たり所定の流量の被処理水を流量調整槽１２０から計量調整装置２００へ移送する機能を有する流量調整用のポンプである。この計量ポンプ１２２は、例えば流量調整槽１２０内の被処理水中に水没して設置されるよう設定された、いわゆる「水中ポンプ」として構成される。なお、計量ポンプ１２２を、水中ポンプではなくエアリフトポンプによって構成することもできる。
【００１８】
計量調整装置２００は、被処理水の一部（オーバーフロー水）を流量調整槽１２０へ戻すことが可能となっており、これにより夾雑物除去槽１３０へ移送される被処理水の流量がコンスタントになるように適宜流量調整（計量処理）を行う機能を有する。すなわち、計量ポンプ１２２と計量調整装置２００とは、夾雑物除去槽１３０以降の各処理槽に供給される被処理水の流量を調整することにより被処理水の供給過剰状態を未然に防止する機能を果たすものである。この計量調整装置２００が本発明における「流量調整手段」、および後述する態様１〜３における「計量調整装置」に対応している。
【００１９】
夾雑物除去槽１３０は、被処理水が含有する固形成分を、夾雑物として被処理水から分離させるための処理を行う槽であり、被処理水の固液分離機能を果たす。この夾雑物除去槽１３０には汚泥引き抜き手段１３２が設置されている。汚泥引き抜き手段１３２は、固液分離によって得られた夾雑物（固形成分）を含む汚泥を引き抜いて汚泥濃縮貯留槽１８０へと移送する機能を有する手段である。この汚泥引き抜き手段１３２としては、移送管内へエアが供給されることでそのエア流によって被処理水を吸入し吐出する既知の構成のエアリフトポンプを用いることができる。
【００２０】
担体流動槽１４０は、その内部に多数の粒状担体が流動可能に充填された好気性処理領域を有する。粒状担体は、例えば中空円筒状に形成され、この粒状担体には被処理水中の有機汚濁物を好気性処理するための好気性微生物が付着する。この担体流動槽１５０には、特に図示しないものの、槽内へエアを供給する散気装置が設けられており、粒状担体に付着した好気性微生物に酸素を付与する機能を有する。これにより、好気性微生物によって被処理水中の有機物の好気性処理（酸化分解）が進行し、被処理水中のＢＯＤ成分の除去が効率的に行われるようになっている。このとき、有機物の好気性処理（酸化分解）によって、汚泥（泥状物質）等の固形物（ＳＳ）が生成する。
【００２１】
担体濾過槽１５０には、担体流動槽１４０からの移流水中に含まれる固形物（ＳＳ）等の被濾過物を濾過処理する担体が充填されるとともに、エア流によって当該担体の逆洗処理を行う逆洗装置（図示省略）が設けられている。また、この担体濾過槽１５０には、汚泥引き抜き手段１５２、返還手段１５４等が設置されている。
汚泥引き抜き手段１５２は、固液分離によって担体濾過槽１５０の槽底部に堆積した汚泥等の堆積物を引き抜いて汚泥濃縮貯留槽１８０へと移送する機能を有する手段である。
返還手段１５４は、被濾過物が濾過されたあとの水を定期的に流量調整槽１２０へ返還する機能を有する手段である。これら汚泥引き抜き手段１５２および返還手段１５４としては、前記の汚泥引き抜き手段１３２と同様に、移送管内へエアが供給されることでそのエア流によって被処理水を吸入し吐出する既知の構成のエアリフトポンプを用いることができる。
【００２２】
消毒槽１６０は、担体濾過槽１５０から流入した水に適宜消毒処理を施したのちに消毒処理後の水を放流ポンプ槽１７０へと移流させるように構成されている。
【００２３】
放流ポンプ槽１７０は、浄化処理が施された水を一旦貯留するとともに槽内に貯留された水を、水中ポンプ等の放流ポンプによって排水処理槽１００外へ放流する機能を有する。
【００２４】
汚泥濃縮貯留槽１８０は、前記構成の夾雑物除去槽１３０および担体濾過槽１５０から汚泥引き抜き手段１３２，１５２によって抜き出された汚泥等の堆積物を貯留する機能を有する。また、この汚泥濃縮貯留槽１８０は、槽底部において沈降・堆積する沈降性汚泥（スラッジ）と、槽上部において浮遊する浮上性汚泥（スカム）との間に滞留する脱離液を、流量調整槽１２０へと返送する機能を有する。
【００２５】
上記の計量調整装置２００の構成を、図２〜図５を参照しながら詳細に説明する。ここで、図２は図１中の計量調整装置２００の構成を示す平面図である。図３は図２中のＡ−Ａ線における計量調整装置２００の断面構造を示す図であり、図４は図２中のＢ−Ｂ線における計量調整装置２００の断面構造を示す図である。図５は計量調整装置２００の第１室２１０の構成を模式的に示す斜視図である。
本実施の形態の計量調整装置２００は、装置本体２０１の内部が仕切り壁２０５〜２０８によって複数の領域に区画される構成になっている。図２に示す形態では、装置本体２０１の内部が大別して５つの領域、すなわち第１室２１０、第２室２２０、第３室２３０、第４室２４０、オーバーフロー室（第５室）２５０に区画されるようになっている。
【００２６】
図２に示すように、第１室２１０は、装置本体２０１の内部における各領域のうち最上流の領域であり、この第１室２１０には下向きに配置された流入管２０２が接続されている。これにより、流量調整槽１２０から計量ポンプ１２２を介して移送される被処理水は、流入管２０２を通じてまず第１室２１０へと流入するようになっている。この流入管２０２が本発明における「流入部」に対応している。
また、第１室２１０に流入した被処理水は、第４室２４０へと順次流れる過程においてその一部がオーバーフローによってオーバーフロー室２５０へと移流し、一旦オーバーフロー室２５０に貯留されたのちオーバーフロー管２０４を通じてオーバーフロー水として流量調整槽１２０に戻る構成になっている。一方、オーバーフロー後の残りの被処理水は、第２室２２０→第３室２３０→第４室２４０の順に各室内を流れたのち、流出管２０３を通じて夾雑物除去槽１３０へと移流する構成になっている。この流出管２０３が本発明における「流出部」に対応している。
【００２７】
図３および図５に示すように、第１室２１０には越流堰２１２および潜り堰２１４が設けられている。本実施の形態では、越流堰２１２と潜り堰２１４とがほぼ平行、すなわち越流堰２１２と潜り堰２１４との間の距離がほぼ一定になるように配置されている。
越流堰２１２は、流入管２０２の近傍、すなわち流入管２０２から流入した被処理水の流れの影響が及ぶ範囲の領域に配置されている。この越流堰２１２は、水路を底部からせり上げその上端を越流させる構成の堰板（仕切り板）を用いて構成された壁部であり、流入管２０２から流入した被処理水は、越流堰２１２の越流縁２１２ａを越えて越流が可能となっている。この越流堰２１２が本発明における「越流によって被処理水の移流を可能とする第１壁部」に対応している。
潜り堰２１４は、越流堰２１２の直後に配置されている。この潜り堰２１４は、当該潜り堰２１４を構成する堰板（仕切り板）の底部に側面視が四角形状の開口部分である潜流開口２１４ａを備えた構成の壁部であり、越流縁２１２ａを越えて越流した被処理水は、潜流開口２１４ａを潜って移流することが可能となっている。この潜り堰２１４が本発明における「第１壁部の直後において潜流によって被処理水の移流を可能とする潜流開口を有する第２壁部」に対応している。
本実施の形態では、特に越流堰２１２と潜り堰２１４との間隔Ｄ１が潜流開口２１４ａの開口高さＤ２を超えないように構成されている。すなわち、本実施の形態では越流堰２１２と潜り堰２１４との間隔Ｄ１が潜流開口２１４ａよりも狭くなっている。更に、本実施の形態では、越流堰２１２と潜り堰２１４との間の流路（絞り流路）の流路断面積Ｓ１が、潜り堰２１４の潜流開口２１４ａの開口面積Ｓ２を超えない（Ｓ１＜Ｓ２）ように構成されている。この流路断面積Ｓ１が、本発明における「第１壁部と第２壁部との間の流路断面積」に対応しており、開口面積Ｓ２が、本発明における「第２壁部の潜流開口の開口面積」に対応している。
【００２８】
また、図４に示すように、仕切り壁２０５のうち流入管２０２の近傍、すなわち流入管２０２から流入した被処理水の流れの影響が及ぶ範囲の領域に溢れ縁２０５ａが設けられている。これにより、越流堰２１２の上流の被処理水のうち当該越流堰２１２を越えることができなかった被処理水は、仕切り壁２０５の溢れ縁２０５ａを越えてオーバーフロー室２５０へとオーバーフローすることとなる。この溢れ縁２０５ａは、越流堰２１２よりも上流において当該越流堰２１２側へと流れる被処理水の一部が分岐して移流可能な部位であり、本発明における「分岐部」に対応している。
【００２９】
第２室２２０は第１室２１０の下流に配置されており、図４および図５に示すように仕切り壁２０５に形成された円形の移流開口２０５ｂを通じて第１室２１０と連通されている。これにより、第１室２１０において潜り堰２１４の下流へと移流した被処理水は、移流開口２０５ｂを通って第２室２２０へと移流することとなる。
また、図４に示すように、仕切り壁２０７には、溢れ縁２０５ａとほぼ同様の構成の溢れ縁２０７ａが設けられている。これにより、第２室２２０の被処理水の一部は仕切り壁２０７の溢れ縁２０７ａを越えてオーバーフロー室２５０へとオーバーフローすることとなる。この溢れ縁２０７ａは、潜り堰２１４の下流において流れる被処理水の一部が分岐して移流可能な部位であり、本発明における「第２の分岐部」に対応している。このように本実施の形態の計量調整装置２００では、仕切り壁２０５に形成された溢れ縁２０５ａと、仕切り壁２０７に形成された溢れ縁２０７ａとの２段でオーバーフローさせて流量調整（計量）を行うようになっている。
【００３０】
第３室２３０は第２室２２０の下流に配置されており、図４に示すように仕切り壁２０６の底部に形成された潜流開口２０６ａを通じて第２室２２０と連通されている。この潜流開口２０６ａは、前記の潜流開口２１４ａとほぼ同様の構成を有する開口である。これにより、第２室２２０に滞留する被処理水は、潜流開口２１４ａを通って第３室２３０へと移流することとなる。
【００３１】
第４室２４０は第３室２３０の下流に配置されており、図４に示すように仕切り壁２０８の上部に形成されたＶ字縁２０８ａを通じて第３室２３０と連通されている。このＶ字縁２０８ａは側面視がＶ字状の開口である。これにより、第３室２３０に滞留する被処理水は、Ｖ字縁２０８ａを越えて第４室２４０へと移流することとなる。特に、仕切り壁２０８の上部にＶ字縁２０８ａを設けることによって、被処理水の計量がし易くなるうえ、Ｖ字縁２０８ａを越えて流れる被処理水の流速を上げることができ固形物等が詰まりにくくなる。
【００３２】
ここで上記構成の計量調整装置２００の作用を図３〜図５を参照しながら説明する。
上記構成の排水処理装置１００において、計量ポンプ１２２が作動することによって流量調整槽１２０の被処理水が計量調整装置２００へと移送され、流入管２０２を通じて装置本体２０１の第１室２１０に流入する。
図３に示すように、第１室２１０において流入管２０２を通じて下向きに流入した被処理水は、図３中の矢印１０方向に下降して流れたのち、矢印１２方向に流れて越流堰２１２へと到達する。そして、越流堰２１２の上流側を矢印１４方向（縦方向）へ上昇して流れたのち、越流縁２１２ａを越えて矢印１６方向（横方向）へと流れ、越流堰２１２と潜り堰２１４との間の領域へ流入する。その後、矢印１８方向（縦方向）に下降して流れた被処理水は、潜流開口２１４ａを潜って矢印２０方向（横方向）へと流れていく。被処理水をこのような形態によって移流させることによって、水流に対する抵抗を大きくすることが可能となり水頭差を生じさせ易くなる。また、被処理水の縦方向の流れと横方向の流れが交互に組み合わせられるため、被処理水の流速を抑えることができ被処理水が短絡して流れるのを防止することが可能となる。
【００３３】
特に、本実施の形態では、越流堰２１２と潜り堰２１４との間隔Ｄ１が潜流開口２１４ａの開口高さＤ２を超えないように構成し、また越流堰２１２と潜り堰２１４との間の流路（絞り流路）の流路断面積Ｓ１が、潜り堰２１４の潜流開口２１４ａの開口面積Ｓ２を超えないように構成したうえで、越流堰２１２および溢れ縁２０５ａを流入管２０２の近傍に配置しているため、越流堰２１２および潜り堰２１４を順次移流していく被処理水のオリフィス効果（絞り効果）をより確実に高めることが可能となる。本構成は、潜流開口２１４ａの開口面積Ｓ２を越流堰２１２と潜り堰２１４との間の流路断面積Ｓ１よりも小さく設定する場合に比して、潜流開口２１４ａよりも流入管２０２に近い流路において被処理水のオリフィス効果（絞り効果）を高めることができるという作用効果を奏し、流入管２０２から流入した一度に大量の被処理水を溢れ縁２０５ａを通じてより効果的に分岐させるのに有効である。これにより、一度に大量の被処理水を溢れ縁２０５ａを通じてオーバーフロー（分岐）させ、少量の被処理水を安定的に潜り堰２１４以降に移流させることが可能となる。そして、潜り堰２１４以降における被処理水の移流量を抑えることで計量調整装置２００自体のコンパクト化を図ることができ、また被処理水の移流量を抑えることで安定した流量調整を行うことが可能となる。
そのうえ、本実施の形態では、越流堰２１２と潜り堰２１４との間の絞り流路の下流に、当該絞り流路の流路断面積よりも開口面積の大きい潜流開口２１４ａを配置しており、絞り流路によって一旦流れが絞られた被処理水がその直後に当該絞り流路よりも流路断面積の大きい潜流開口２１４ａを通過することとなるため、被処理水に対し整流作用が付与される。従って、絞り流路の下流における被処理水の流れに乱れが生じるのを抑えることが可能となり、被処理水の流量を調整し易くなるという作用効果を奏する。このような作用効果は、潜流開口２１４ａの開口面積を、越流堰２１２と潜り堰２１４との間の絞り流路の流路断面積よりも小さくした構成によっては得難い有利な効果である。
【００３４】
なお、越流堰２１２および潜り堰２１４を順次移流していく被処理水のオリフィス効果（絞り効果）をより確実に高めるためには、上記のように越流堰２１２と潜り堰２１４との間隔Ｄ１が潜流開口２１４ａの開口高さＤ２を超えないように設定し、且つ越流堰２１２と潜り堰２１４との間の流路（絞り流路）の流路断面積Ｓ１が潜り堰２１４の潜流開口２１４ａの開口面積Ｓ２を超えないように設定するのが好ましいが、流路断面積Ｓ１と開口面積Ｓ２との大小関係によらず、少なくとも越流堰２１２と潜り堰２１４との間隔Ｄ１が潜流開口２１４ａの開口高さＤ２を超えないように設定することによって、被処理水のオリフィス効果（絞り効果）を高めるという作用効果は達成され得る。
【００３５】
〔他の実施の形態〕
なお、本発明は上記の実施の形態のみに限定されるものではなく、種々の応用や変形が考えられる。例えば、上記実施の形態を応用した次の各形態を実施することもできる。
【００３６】
上記実施の形態では、計量調整装置２００の第１室２１０に越流堰２１２、潜り堰２１４、溢れ縁２０５ａを組み合わせた構成部分を設ける場合について記載したが、本発明では、当該構成部分の設置位置は第１室２１０に限定されるものではなく、また当該構成部分の設置数は１つに限定されるものではない。流入管２０２から流出管２０３までの間の領域において、越流堰２１２、潜り堰２１４、溢れ縁２０５ａを組み合わせた構成に相当する構成を所望数設置することが可能である。
また、上記実施の形態では、潜り堰２１４の下流において流れる被処理水の一部が分岐して移流可能な溢れ縁２０７ａを１箇所に設ける場合について記載したが、本発明では、潜り堰２１４の下流の領域において溢れ縁２０７ａに相当する部位を複数設置することが可能である。
【００３７】
また、上記実施の形態では、計量調整装置２００の装置本体２０１の内部を大別して５つの領域に区画する場合について記載したが、当該区画数は被処理水の流通量等に応じて適宜変更可能である。
【００３８】
また、上記実施の形態や種々の変更の形態に鑑み、本発明では以下の態様１〜態様４に記載の構成を採り得る。
【００３９】
（態様１）
本発明では、「流入部を通じて流入した被処理水の一部を分岐させることによって流量調整したのち、流量調整がなされた被処理水を流出部を通じて装置外へ流出させる構成の計量調整装置であって、
被処理水が移流する経路には、越流によって被処理水の移流を可能とする第１壁部と、前記第１壁部の直後において潜流によって被処理水の移流を可能とする潜流開口を有する第２壁部と、前記第１壁部よりも上流において当該第１壁部側へと流れる被処理水の一部が分岐して移流可能な分岐部とが設けられており、
前記第１壁部と前記第２壁部との間隔が前記潜流開口の開口高さを超えないように構成されていることを特徴とする計量調整装置。」という構成（態様１）を採り得る。
【００４０】
この態様１における計量調整装置は、請求項１に記載の流量調整手段と同様の構成を有する装置として特定される。
本態様１に記載の計量調整装置のこのような構成によれば、請求項１において記載の作用効果と同様に、被処理水の流速を抑えることができ被処理水が短絡して流れるのを防止するのに有効である。また、第２壁部以降における被処理水の移流量を抑えることで計量調整装置自体のコンパクト化を図ることができ、また被処理水の移流量を抑えることで安定した流量調整を行うことが可能となる。
【００４１】
（態様２）
また、本発明では、「態様１に記載の計量調整装置であって、
前記第１壁部と前記第２壁部との間の流路断面積が前記第２壁部の潜流開口の開口面積を超えないように構成されていることを特徴とする計量調整装置。」という構成（態様２）を採り得る。
【００４２】
この態様２に記載の計量調整装置は、態様１に記載の構成において、第１壁部と第２壁部との間の流路断面積が第２壁部の潜流開口の開口面積を超えないようになっている。すなわち、本発明の計量調整装置は、請求項２に記載の流量調整手段と同様の構成を有する装置として特定される。
本態様２に記載の計量調整装置のこのような構成によれば、請求項２において記載の作用効果と同様に、第１壁部および第２壁部を順次移流していく被処理水のオリフィス効果（絞り効果）を、被処理水が第１壁部を越流したのち潜流開口へと流れる過程においてより確実に高めることが可能となる。そのうえ、本態様２に記載の計量調整装置によれば、第１壁部と第２壁部との間の絞り流路の下流に、当該絞り流路の流路断面積よりも開口面積の大きい潜流開口を配置することによって、絞り流路の下流における被処理水の流れに乱れが生じるのを抑えることが可能となり、被処理水の流量を調整し易くなるという作用効果を奏する。
【００４３】
（態様３）
また、本発明では、「態様１または態様２に記載の計量調整装置であって、
前記第１壁部および分岐部は、前記流入部の近傍に配置される構成であることを特徴とする計量調整装置。」という構成（態様３）を採り得る。
【００４４】
この態様３に記載の計量調整装置は、態様１または態様２に記載の構成において、第１壁部および分岐部を流入部の近傍に配置した構成になっている。すなわち、本発明の計量調整装置は、請求項３に記載の流量調整手段と同様の構成を有する装置として特定される。
本態様３に記載の計量調整装置のこのような構成によれば、請求項３において記載の作用効果と同様に、計量調整装置の最上流の部分において被処理水に対しオリフィス効果（絞り効果）を付与するとともに、被処理水の一部を分岐部を通じて分岐させることができるため、計量調整装置自体をよりコンパクトに構成することができ、またより安定した流量調整を行うことが可能となる。
【００４５】
（態様４）
また、本発明では、「態様１〜態様３のいずれかに記載の計量調整装置であって、
前記第２壁部の下流において流れる被処理水の一部が分岐して移流可能な第２の分岐部を備えた構成であることを特徴とする計量調整装置。」という構成（態様４）を採り得る。
【００４６】
この態様４に記載の計量調整装置は、態様１〜態様３のいずれかに記載の構成において、さらに第２壁部の下流において流れる被処理水の一部が分岐して移流可能な第２の分岐部を備えている。すなわち、本発明の計量調整装置は、請求項４に記載の流量調整手段と同様の構成を有する装置として特定される。
本態様４に記載の計量調整装置のこのような構成によれば、請求項４において記載の作用効果と同様に、分岐部と第２の分岐部との少なくとも２段の分岐部によって被処理水を逃がすことができるため、第１壁部の上流に設けられる分岐部のみを用いる場合に比して、きめ細かい流量調整が可能となる。
【図面の簡単な説明】
【００４７】
【図１】本発明における一実施の形態の排水処理槽１００の処理フローを示す図である。
【図２】図１中の計量調整装置２００の構成を示す平面図である。
【図３】図２中のＡ−Ａ線における計量調整装置２００の断面構造を示す図である。
【図４】図２中のＢ−Ｂ線における計量調整装置２００の断面構造を示す図である。
【図５】計量調整装置２００の第１室２１０の構成を模式的に示す斜視図である。
【符号の説明】
【００４８】
１００…排水処理槽
１１０…ばっ気型スクリーン
１２０…流量調整槽
１２２…計量ポンプ
１３０…夾雑物除去槽
１３２，１５２…汚泥引き抜き手段
１４０…担体流動槽
１５０…担体濾過槽
１５４…返還手段
１６０…消毒槽
１７０…放流ポンプ槽
１８０…汚泥濃縮貯留槽
２００…計量調整装置
２０１…装置本体
２０２…流入管
２０３…流出管
２０４…オーバーフロー管
２０５，２０６，２０７，２０８…仕切り壁
２０５ａ，２０７ａ…溢れ縁
２０５ｂ…移流開口
２０８ａ…Ｖ字縁
２１０…第１室
２１２…越流堰
２１２ａ…越流縁
２１４…潜り堰
２１４ａ…潜流開口
２２０…第２室
２３０…第３室
２４０…第４室
２５０…オーバーフロー室
【図１】
2005125267.tif 000003
【図２】
2005125267.tif 000004
【図３】
2005125267.tif 000005
【図４】
2005125267.tif 000006
【図５】
2005125267.tif 000007